(57)【要約】【解決手段】発光ダイオード３，３から発する光の直進方向に突出して一対のプリズム部４，４を設け、発光ダイオード１の両側に光の分散部５を設け、発光ダイオード３，３から発する光を一対のプリズム部４．４で互いに反対方向に屈折させ、屈折された光を夫々発光ダイオードの両側に設けた分散部５に導いて分散させるようにした発光ダイオードにおける発光分散装置。【効果】発光ダイオード３，３から発光して直進する光をプリズム部４，４で屈折させ、分散部５で分散させているため、発光ダイオードの発光を四方に分散させて照射させることができ、しかもプリズム部４，４は発光ダイオード１の光の直進方向に設け、分散部５を発光ダイオード３，３に沿って設けてあるため、装置を薄型にでき、したがって自転車車輪の隣接するスポーク間に装着する走行表示装置として最適なものとなる。【選択図】　　　　図２
2004071442.tif 000002
【特許請求の範囲】
【請求項１】
発光ダイオードから発する光の直進方向に突出してプリズム部を設け、発光ダイオードの一側に沿って光の分散部を設け、発光ダイオードから発する光をプリズム部で屈折させ、屈折された光を発光ダイオードの一側に設けた分散部に導いて分散させるようにしたことを特徴とする発光ダイオードにおける発光分散装置。
【請求項２】
発光ダイオードから発する光の直進方向に突出して一対のプリズム部を設け、発光ダイオードの両側に光の分散部を設け、発光ダイオードから発する光を一対のプリズム部で互いに反対方向に屈折させ、屈折された光を夫々発光ダイオードの両側に設けた分散部に導いて分散させるようにしたことを特徴とする発光ダイオードにおける発光分散装置。
【請求項３】
光の分散部として発光ダイオードの一側又は両側に設けた光透過部材の外側にカット部を設けた請求項１又は２記載の装置。
【請求項４】
発光ダイオードの一側又は両側に設けた光透過部材の内側にプリズム部を形成した請求項３記載の装置。
【請求項５】
カット部が反射リフレクターに使用されているようなダイヤカットである請求項３記載の装置。
【発明の詳細な説明】
【０００１】
【発明が属する技術分野】
この発明は、例えば自転車等の車輪に装着される発光ダイオードにおける発光分散装置に関するものである。
【０００２】
【従来の技術】
本願発明者は、転動室内に１個又は２個の転動子を収納し、該転動子の転動方向に圧電素子を設け、該圧電素子への転動子の衝突により発光ダイオードを発光させる発光装置を、車輪の隣接するスポーク間に装着する自転車における走行表示装置を提案した（特願２００１−３４６００５、特願２００２−８６５６０）。
【０００３】
【発明が解決しようとする課題】
この場合自転車における夜間走行を表示させるためには転動子の衝突による発光ダイオードの発光を四方に分散して照射させる必要があるが、発光ダイオードの光は１方向への直進性が高く、四方に分散させて照射させることができない。
【０００４】
このため、圧電素子への転動子の衝突により発光ダイオードを発光させる発光装置を、車輪の隣接するスポーク間に装着しても十分な自転車の夜間における走行表示装置としても機能を果たすことができない。
【０００５】
【課題を解決するための手段】
そこで、この発明は上記実情に鑑み、発光ダイオードから発する光の直進方向に突出してプリズム部を設け、発光ダイオードの一側に沿って光の分散部を設け、発光ダイオードから発する光をプリズム部で屈折させ、屈折された光を発光ダイオードの一側に設けた分散部に導いて分散させるようにしたダイオードにおける発光分散装置を提案するものである。
【０００６】
また、この発明では発光ダイオードから発する光の直進方向に突出して一対のプリズム部を設け、発光ダイオードの両側に光の分散部を設け、発光ダイオードから発する光を一対のプリズム部で互いに反対方向に屈折させ、屈折された光を夫々発光ダイオードの両側に設けた分散部に導いて分散させるようにした発光ダイオードにおける発光分散装置を提案するものである。
【０００７】
【発明の実施の形態】
即ち、この発明によれば発光ダイオードから発光して直進する光をプリズム部で屈折させ、分散部で分散させているため、発光ダイオードの発光を四方に分散させて照射させることができる。
【０００８】
しかも、この発明ではプリズム部は発光ダイオードの光の直進方向に設け、分散部を発光ダイオードに沿って設けてあるため、装置を薄型にでき、したがって自転車車輪の隣接するスポーク間に装着する走行表示装置として最適なものとなる。
【０００９】
なお、光の分散部としては、発光ダイオードの一側又は両側に沿って光透過部材を設け、光の分散部としてその外側にカット部を設けるようにしてもよく、またカット部は反射リフレクターに使用されているようなダイヤカットにすることが好ましい。
【００１０】
また、発光ダイオードの一側又は両側に沿って設けた光透過部材の内側にプリズム部を形成するようにすれば、装置をより薄型にすることができる。
【００１１】
【実施例】
以下、この発明を図示の実施例に基づいて詳細に説明すると、１はこの発明に係る発光ダイオードにおける発光分散装置を収容する透明容器で、容器１内の上部には容器内壁に沿って対向状に例えばアクリル樹脂等で構成される光透過部材２，２を並設し、光透過部材２，２の内側下部には発光ダイオード３，３を収納し、光透過部材２，２の内側上部には発光ダイオード３，３の発する光の直進方向に突出して一対のプリズム部４，４が形成され、光透過部材２，２の外側にはカット部５，５が形成され、また容器１内の下部には容器内壁に沿って反射板６が設けられ、更に容器１内には発光ダイオード３，３の発光装置７が収容されている。
【００１２】
発光装置７は、その内部に転動室８が設けられ、転動室８内には２個のボール９ａ，９ｂが収納され、更にボール９ａと９ｂの間に圧電素子１０が設けられ、圧電素子１０は夫々発光ダイオード３，３に接続される。
【００１３】
なお、光透過部材２，２に挟まれた発光ダイオード３，３と発光装置７を収納した透明容器１は、その両側に設けられた取付金具１１を介して例えば自転車の前車輪の隣接するスポーク間に装着する。
【００１４】
以上の構成において、車輪の回転に際して転動室８に収納されたボール９ａを上にし、ボール９ｂを下にして垂直状態になると、重力によりボール９ａが圧電素子１０に衝突して一方の発光ダイオード３を発光させ、反対にボール９ｂを上にし、ボール９ａを下にして垂直状態になると、重力によりボール９ｂが圧電素子１０に衝突して他方の発光ダイオード３を発光させる。
【００１５】
発光ダイオード３，３が交互に発光させられると、その光は直進してプリズム部４，４に交互に入射し、プリズム部４，４で互いに反対方向に屈折させられる。
【００１６】
プリズム部４，４で屈折された光は光透過部材２，２の外側に形成されたカット部５，５で外方に分散され、また光透過部材２，２を薄くすることにより、発光ダイオード３，３から発した光の一部は光透過部材２，２を通って直接カット部５，５で外方に分散され、更に発光ダイオード３，３から発した光の一部は反射板６で反射された後、上記同様にしてカット部５，５で外方に分散される。
【００１７】
このようにして、この発明では発光ダイオード３，３の発光はカット部５，５で外方に分散されるので、夜間においても自転車の走行状態を容易に判別することができる。
【００１８】
【発明の効果】
以上要するに、この発明によれば発光ダイオードから発光して直進する光を有効に分散できるので、自転車の走行表示装置として極めて有効である。
【図面の簡単な説明】
【図１】この発明の一実施例を示す正面図
【図２】同上のＡ−Ａ線断面図
【符号の説明】
１は透明容器
２，２は光透過部材
３，３は発光ダイオード
４，４は一対のプリズム部
５，５はカット部
６は反射板
７は発光装置
８は転動室
９ａ，９ｂはボール
１０は圧電素子
１１は取付金具
【図１】
2004071442.tif 000003
【図２】
2004071442.tif 000004